(57)【要約】  本発明は、ベース要素（２）とベース要素の上方に配置されたカバー要素（７）とを含むボトルラック（１）に関する。ボトルの首を受けるための受けユニット（３７）が、ベース要素（２）とカバー要素（７）との間に配置されるように、カバー要素（７）に配置される。ベース要素（２）は、ボトルの底部を支持するための２つの支持ユニット（３８，３９）を含む。２つの支持ユニット（３８，３９）は、互いに平行に配置される。また、さらなるモジュール（４２〜４５）をベース要素（２）とカバー要素（７）との間に配置することができる。
2013535252.tif 000002
【特許請求の範囲】
【請求項１】
ボトルラック（１）であって、
底部要素（２）と底部要素の上方に配置されたカバー要素（７）とを含み、
底部要素（２）は、ウェブ（３〜６）を介してカバー要素（７）に連結され、
ボトル（５４〜５６，６４〜６７）の瓶首を受けるための受け装置（３７）が、底部要素（２）とカバー要素（７）との間に配置されるように、カバー要素（７）に配置され、
少なくとも１つのモジュール（４２〜４５）が、底部要素（２）とカバー要素（７）との間に配置され、
前記少なくとも１つのモジュール（４２〜４５）は、互いに平行に配置され、かつ受け装置（２４〜２７，４０）を介して互いに連結される２つの支持ユニット（２０，２１，２１′，２２，２３，２３′）を含む、ボトルラック。
【請求項２】
モジュール（４２〜４５）は互いに上下に配置され、各モジュール（４２〜４５）は下方のモジュール（４２〜４５）に対して回転軸（Ｃ）を中心に９０°で回転される、請求項１に記載のボトルラック。
【請求項３】
受け装置（２４〜２７，３７，４０）は、互いに平行に配置された２つの受け部（３２，３２′，３３，３３′，３４，３４′，３５，３５′，３６，３６′，７０，７０′）から構成される、請求項１に記載のボトルラック。
【請求項４】
受け装置（３７）の互いに平行に配置された２つの受け部（３６，３６′）は、ウェブ（２８〜３１）を介してカバー要素（７）に連結される、請求項１に記載のボトルラック。
【請求項５】
モジュール（４２〜４５）の互いに平行に配置された２つの支持ユニット（２０，２０′，２１，２１′，２２，２２′，２３，２３′）は、受け装置（２４〜２７，３７，４０）に対して角度αで傾斜する、請求項１に記載のボトルラック。
【請求項６】
各受け部（３２，３２′，３３，３３′，３４，３４′，３５，３５′，３６，３６′，７０，７０′）は、ボトル（５４〜５６，６４〜６７）の瓶首を受けるための支持面（５３，５７〜６３，８０〜８７）を複数含む、請求項３に記載のボトルラック。
【請求項７】
対向する２つの受け部（３２，３２′，３３，３３′，３４，３４′，３５，３５′，３６，３６′，７０，７０′）にボトル（５４〜５６，６４〜６７）の瓶首を受けるための支持面（５３，５７〜６３，８０〜８７）は、互いにオフセットをもって配置される、請求項６に記載のボトルラック。
【請求項８】
ボトルラック（１）であって、
互いに上下に配置された少なくとも２つのモジュール（４２〜４５）を介して互いに連結されたウェブ（３〜６）を含み、
前記少なくとも２つのモジュール（４２〜４５）は互いに、回転軸（Ｃ）に対して縦に９０°のオフセットをもって配置される、ボトルラック。
【請求項９】
モジュール（４２〜４５）は、互いに平行に配置され、かつ受け装置（２４〜２７，４０）を介して互いに連結される２つの支持ユニット（２０，２０′，２１，２１′，２２，２２′，２３，２３′）を含む、請求項８に記載のボトルラック。
【請求項１０】
受け装置（２４〜２７，４０）は、互いに平行に配置された２つの受け部（３２，３２′，３３，３３′，３４，３４′，３５，３５′，３６，３６′，７０，７０′）から構成される、請求項９に記載のボトルラック。
【請求項１１】
モジュール（４２〜４５）の互いに平行に配置された支持ユニット（２０，２０′，２１，２１′，２２，２２′，２３，２３′）は、受け装置（２４〜２７，３７，４０）に対して角度αで傾斜する、請求項８に記載のボトルラック。
【請求項１２】
各受け部（３２，３２′，３３，３３′，３４，３４′，３５，３５′，３６，３６′，７０，７０′）は、ボトル（５４〜５６，６４〜６７）の瓶首を受けるための支持面（５３，５７〜６３，８０〜８７）を複数含む、請求項１０に記載のボトルラック。
【請求項１３】
対向する２つの受け部（３２，３２′，３３，３３′，３４，３４′，３５，３５′，７０，７０′）にボトル（５４〜５６，６４〜６７）の瓶首を受けるための支持面（５３，５７〜６３，８０〜８７）は、互いにオフセットをもって配置される、請求項１２に記載のボトルラック。
【請求項１４】
モジュール（４２〜４５）が縦方向に移動することができ、よって各モジュール（４２〜４５）の互いの間隔を変更することができるレールシステムをウェブ（３〜６）に配置する、請求項８に記載のボトルラック。
【請求項１５】
ウェブ（３〜６）にさらなるモジュール（４２〜４５）を配置し、各さらなるモジュール（４２〜４５）は、下方のモジュール（４２〜４５）に対して、回転軸（Ｃ）に対して縦に９０°のオフセットをもって配置される、請求項１４に記載のボトルラック。
【発明の詳細な説明】
【技術分野】
【０００１】
本発明は、本願請求項１の前提部および本願請求項８の前提部に記載のボトルラックに関する。
【背景技術】
【０００２】
ボトルラックの役目は、スペースを節約し、ボトルが見える状態で、できるだけ多くのボトルを置くことにある。
【０００３】
４つの側面からボトルを入れることができるワインラックが知られている（ＡＵ  ２００３１００４９１Ａ４）。このワインラックは、ベースに回転可能に配置され、約３６０°回転することができる。
【０００４】
さらに、ワインボトルを貯蔵するため、上下に配置されている複数の構成要素を含むワインラックが知られている（ＵＳ  Ｄ  ５９１５６９  Ｓ）。複数のワインボトルは、これらの構成要素の各々に置くことができる。これらの構成要素の各々は、円形空白部の中央に配置された中央部を含む。円形空白部は、複数のロッド状要素を介してこの中央部と連結される。中央部が空白部の上方に配置されているため、その配置は実質的に屋根の形状を有する。
【発明の概要】
【発明が解決しようとする課題】
【０００５】
本発明は、異なる側面からアクセスすることができ、かつ複数のボトルを省スペースでかつこれらのボトルのラベルがはっきり読めるように容易に見える状態で貯蔵することができるボトルラックを提供するという課題を解決することを目的とする。
【課題を解決するための手段】
【０００６】
上記課題は、本願請求項１および請求項８の特徴によって解決される。
したがって、本発明は、底部要素と底部要素の上方に配置されたカバー要素とを含むボトルラックに関する。底部要素とカバー要素とは、ウェブを介して互いに連結される。ボトルの瓶首を受けるための受け装置が、底部要素とカバー要素との間に配置されるように、カバー要素に配置される。本発明において、底部要素は、互いに平行に配置され、ボトルの瓶底を支持するための２つの支持ユニットを含む。また、底部要素とカバー要素との間には、さらなるモジュールを配置することができる。
【０００７】
したがって、このボトルラックは、複数のボトルを置くことができる貯蔵ユニットを少なくとも１つ含む。本発明において、いくつかの側面からボトルをボトルラックに入れることができる。有利なのは、ボトルを斜め状態で貯蔵することができる点である。ボトルラックはボトルの瓶底を支持するための支持ユニットを含み、これらの支持ユニットは同一ボトルの瓶首を受ける受けユニットに対して縦にオフセットされるため、上記の斜め状態が得られる。この斜め状態により、貯蔵されたボトルの瓶用栓の約３分の２を湿らせることができる。ボトルにワインが入っている場合、コルクが乾燥しないようにすることは必須であるため、斜めに貯蔵することは特に重要である。さらに有利なのは、ボトルを斜めにすると、ボトルのラベルをはっきり見ることができかつ読むことができる点である。さらに有利なのは、瓶首の長さに関わらずボトルをボトルラックに貯蔵することができる点である。
【０００８】
実施形態例は、添付図面に示され、以下においてさらに詳細に説明される。
【図面の簡単な説明】
【０００９】
【図１】ボトルラックを示す斜視図である。
【図２】図１に示された、複数のボトルが置かれているボトルラックの斜視図である。
【図３】図２に示されたボトルラックの貯蔵ユニットの図である。
【図４】図１に示されたボトルラックの部分拡大図である。
【図５】図１に示されたボトルラックのＡ−Ａ断面図である。
【図６】Ｂ−Ｂ面に沿った、図１に示されたボトルラックの上方図である。
【図７】図６に示されたボトルラックにさらに４本のボトルが置かれているボトルラックの図である。
【図８】図６に示されたボトルラックをＣ−Ｃ面に沿って示す図の一部である。
【図９】図７に示されたボトルラックをＤ−Ｄ面に沿って示す図の一部である。
【発明を実施するための形態】
【００１０】
図１は、ボトルラック１を示す斜視図である。ボトルラック１は、４つのウェブ３〜６を介してカバー要素７に連結される底部要素２を含む。カバー要素７と底部要素２とは、互いに平行に設置される。図１に示すように、底部要素２およびカバー要素７は実質的に同じ形状および大きさを有する。底部要素２は、壁８により囲まれた底面９を含む。壁８は、底面９より少なくとも部分的に高く設けられた４つの壁面１０〜１３により構成され、よって空白部１４を形成する。底面９は実質的に正方形の領域を有し、それによって底面９は４つのコーナー１６〜１９を有する。カバー要素７は、底面９と対向に設置されたカバー１５を含む。理解すべきことは、底部要素２およびカバー要素７は異なる形状、たとえば円形を有することができることである。
【００１１】
４つのウェブ３〜６は各々、底部要素２の底面９のコーナー１６〜１９およびカバー要素７のカバー１５のコーナーに設置される。図１では、カバー１５のコーナーは不可視である。各ウェブ３〜６は、数個の支持ユニット２０、２１、２１′、２２、２３、２３′を介して自身の最も近くに位置された２つのウェブに連結されている。その数個の支持ユニットにおいて、少なくとも１つのボトルの瓶底を置くことができる。したがって、２つの支持ユニットは平行かつ対向に設置される。明瞭さのために、支持ユニット２０、２２と対向する支持ユニットは示されていない。明瞭さのために、図１においてボトルも示されていない。
【００１２】
支持ユニット２０、２１、２１′、２２、２３、２３′のうち、互いに対向に位置している各支持ユニット対の真下に、１つの受け装置２４〜２７が設置されている。これらの受け装置２４〜２７において、少なくとも１つのボトルの瓶首を置くことができる。支持ユニット２０、２１、２１′、２２、２３、２３′は、少なくとも部分的にウェブ３〜６に設置される。そのほか、図に見えるように、ボトルの瓶首を受けるためのさらなる受け装置３７が、ウェブ２８〜３１を介してカバー要素７に連結される。
【００１３】
ボトルの首を受けるための受け装置２４〜２７および３７に対して縦にオフセットをもって瓶底を受けるための支持ユニット２０、２１、２１′、２２、２３、２３′を設置することにより、ボトルをボトルラック１に斜めに貯蔵することができる。よって、ボトルのラベルが容易に読めるようになる。図１に示すように、ボトルを動かしてさらに斜めにするためには、支持ユニット２０、２１、２１′、２２、２３、２３′を設置されている平面に対して傾斜させればよい。
【００１４】
受け装置２４〜２７および３７を単一の部品として組入れることができ、または図１に示すように２つの部品として組入れることもできる。図１から分かるように、受け装置２４〜２７、３７は各々、２つの平行に設置された受け部３２、３２′、３３、３３′、３４、３４′、３５、３５′、３６、３６′から構成される。
【００１５】
図１において、数個のモジュール４２〜４５も示されている。各モジュール４２〜４５は、互いに平行に配置された２つの支持ユニットとこの２つの支持ユニットを互いに連結させる対応の受け装置とを含む。
【００１６】
上記のモジュール４２〜４５は、各モジュール４２〜４５が下方または上方のモジュールに対して回転軸Ｃを中心に９０°回転されるように、ボトルラック１に設置される。よって、第１のモジュール４２および第３のモジュール４４、ならびに第２のモジュール４３および第４のモジュール４５は、合同的に上下に設置される。
【００１７】
数個の貯蔵ユニット４６〜５０も示されている。これらの貯蔵ユニット４６〜５０において、対応の受け装置２４〜２７、３７は各々、瓶底を受けるための上記の２つの対向する支持ユニット２０、２１、２１′、２２、２３、２３′の上方に位置している。すなわち、貯蔵ユニット４６〜５０において、支持ユニット２０、２１、２１′、２２、２３、２３′は第１の平面に位置し、受け装置２４〜２７および３７は第２の平面に位置し、第２の平面は第１の平面の真上に位置する。当業者なら分かるように、空白部１４の２つの対向側面５１および５２が、底面９とともに、ボトルの瓶底を受けるための支持ユニット３９および３８を各々形成する。本発明において、支持ユニット３８、３９は底面９に凹んでいく凹み部を有してもよい。この凹み部に、ボトルの瓶底を置くことができる。しかしながら、図１には凹み部が示されていない。
【００１８】
上記の貯蔵ユニット４６〜５０は、各貯蔵ユニット４６〜５０が下方または上方の貯蔵ユニットに対して回転軸Ｃを中心に９０°で回転されるように、それぞれ上下に設置される。よって、第１の貯蔵ユニット４６および第３の貯蔵ユニット４８、ならびに第２の貯蔵ユニット４７および第４の貯蔵ユニット４９は、互いに合同的に上下に設置される。
【００１９】
したがって図１において、貯蔵ユニット４６はボトルラック１の最も低い貯蔵ユニットを形成する。この貯蔵ユニット４６は、２つの支持ユニット３８および３９と、すぐ上方の受け装置２４とを含む。この２つの支持ユニット３８および３９は、受け装置２４が配置されている第２の平面の下に位置する第１の平面に配置されている。
【００２０】
貯蔵ユニット４６のすぐ上方の貯蔵ユニット４７は、互いに平行に配置されている２つの支持ユニットと、受け装置２５とを含む。明瞭さのために、図２には、支持ユニット２０のみが示され、支持ユニット２０と対向する支持ユニットが示されていない。
【００２１】
貯蔵ユニット４７の上方に位置する貯蔵ユニット４８は、２つの支持ユニット２１および２１′と、受け装置２６とを含む。よって、貯蔵ユニット４７〜４９は、互いに合同的に上下に位置する。その中で、貯蔵ユニット４７は、２つの支持ユニット４６および４８に対して回転軸Ｃを中心に９０°で回転される。
【００２２】
さらに、カバー要素７または底面９に光源を設けることができる。よって、上方または下方からボトルラックに置かれたボトルに照明を与えることができる。ウェブ３〜６にたとえば発光ダイオードのような光源を設けることも可能である。よって、側面からボトルラックに置かれたボトルに照明を与えることができる。しかしながら、図１には光源が示されていない。
【００２３】
理解すべきことは、底部要素２およびカバー要素７を省略することができることである。この場合、ウェブ３〜６は、ウェブ３〜６を互いに連結する各モジュール４２〜４５のみにより安定させられる。しかしながら、このようなボトルラック１にボトルを置くことができるために、少なくとも上下に配置された２つのモジュールを回転軸Ｃを中心に９０°で互いに回転させて設けなければならない。
【００２４】
さらに、ウェブ３〜６には、レールシステムを設けることができる。よって、各モジュール４２〜４５をウェブ３〜６に沿って、すなわち縦方向で移動させることができる。したがって、モジュール４２〜４５の間の間隔を変更することができる。それによって、支持ユニット２０、２１、２１′、２２、２３、２３′を設置されている平面に対して斜めに設置することを省略することも可能になる。このとき、ボトルの斜め状態はもっぱら、ウェブ３〜６に設置されたレールシステムに沿って縦方向にモジュール４２〜４５を互いに接近するまたは離れるように移動して互いの間隔を変更することにより得られる。しかしながら、ウェブ３〜６に設置されたこのようなレールシステムは図１に示されていない。
【００２５】
ウェブ３〜６に沿ってモジュール４２〜４５を移動することのほかに、対応の受け装置２４〜２７および３７の各受け部３２、３２′、３３、３３′、３４、３４′、３５、３５′、３６、３６′を互いに接近するまたは離れるように、すなわち水平面において移動してもよい。これらの受け部３２、３２′、３３、３３′、３４、３４′、３５、３５′、３６、３６′の間の間隔を変更するために、対応する支持ユニット２０、２１、２１′、２２、２３、２３′の真下に、たとえばレールシステムを設け、受け部３２、３２′、３３、３３′、３４、３４′、３５、３５′、３６、３６′をこのレールシステムに沿って移動することもできる。
【００２６】
受け部３６、３６′を互いに接近するまたは離れるように移動させるために、カバー要素７において対応のレールシステムを設置することができる。しかしながら、このようなレールシステムは図１に示されていない。
【００２７】
図２は、図１に示された、貯蔵ユニット４６〜５０を有するボトルラック１の斜視図である。本発明において、各貯蔵ユニット４６〜５０は仮想的な等辺プリズムを形成する。図２にも、支持ユニット２０および２２に対向する支持ユニットが示されていない。
【００２８】
ボトルラック１には、数個のボトル５４、５５、５６が置かれている。ボトル５４は貯蔵ユニット４９に、ボトル５５は貯蔵ユニット５０に置かれている。これらのボトル５４〜５６は、たとえばワインボトルであってもよい。したがって、ボトルラック１はワインラックになる。
【００２９】
本発明において、ボトル５４〜５６は、その首がそれぞれ受け装置２７および４０に、その瓶底がそれぞれ少なくとも部分的に対応する支持ユニット２２および２３′に置かれるように、上記の貯蔵ユニット４６〜５０に置かれている。よって、貯蔵ユニット４８〜５０において、対応するボトル５４〜５６の瓶底が置かれている支持ユニット２２および２３′が各々、受け装置２７および４０の真下に配置されているため、ボトル５４〜５６は貯蔵ユニット４８〜５０において斜め状態になっている。好ましくは、この斜め角度は１８°であり、よって、置かれたボトル５４〜５６のラベルが容易に読めるようになる。特に有利なのは、ワインボトルの場合に斜め角度１８°にすると、対応のワインボトルの瓶コルクの約３分の２が濡らされる点である。
【００３０】
本発明において、瓶首を受けるための受け装置２４〜２７、３７および４０は、２つの平行する受け部として組入れられる。例としての受け装置２７により示されたのは、この受け装置２７の受け部３５および３５′の両方が数個の支持面を含むことである。受け部３５において、支持面５７〜６０が可視である。ボトル５４の瓶首は支持面６０に支持されている。受け部３５′において、支持面６１〜６３のみが見える。受け部３５の支持面５７〜６０は、受け部３５′の支持面６１〜６３に対してオフセットをもって配置され、それによって、受け部３５′の支持面６１〜６３は受け部３５の支持面５７〜６０に対して斜めに配置される。
【００３１】
このボトルラック１の利点は、瓶底がワインラックの前に立っている人間に面する方向に置かれていることである。その結果、ボトルが斜めであるため、ラベルを容易に見ることおよび読むことができるように配置することができる。
【００３２】
図３は、図２に示されたボトルラック１の一部を示している。図において、ボトル５５が配置された貯蔵ユニット５０のみが示されている。破線は、貯蔵ユニット５０が仮想的な等辺プリズムの形状を有することを非常に明確に示している。
【００３３】
貯蔵ユニット５０は、互いに平行に配置され、第１の平面Ｅ１に位置する２つの支持ユニット２３および２３′を有する。本発明において、支持ユニット２３および２３′は傾けられている。第１の平面Ｅ１の真上に位置している第２の平面Ｅ２には、受け装置４０が位置している。受け装置４０は、２つの平行する受け部７０および７０′を含む。受け部７０および７０′は各々、４つの支持面８０〜８３および４つの支持面８４〜８７を有する。受け部７０′の支持面８５には、ボトル５５の瓶首が置かれている。よって、ボトル５５は仮想的な等辺プリズムの面４１に配置される。
【００３４】
ここで、受け部７０の支持面８０〜８３は、受け部７０′の支持面８４〜８７に対してオフセットをもって配置される。こうすることにより生じた利点としては、８つのボトルが貯蔵ユニット５０に配置される場合、対向するボトルの瓶首が互いに接触することはないことである。よって、貯蔵ユニット５０には、異なる長さの瓶首を有するボトルを置くことができる。
【００３５】
図４は、図１に示されたボトルラック１の一部を拡大して示す図である。この図の目的は、支持ユニットをボトルラック１のウェブ３〜６に配置する方法を明らかにすることである。この部分図は、２つの支持ユニット２２および２３′が配置されているウェブ５を示している。支持ユニット２２および２３′は各々、ボトルの瓶底を少なくとも部分的に支持することができる支持バー７１および７２′を含む。しかしながら、明瞭さのために、図４にはボトルが示されていない。
【００３６】
上記の支持バー７１および７２′の各々には、１つの裏当て要素７３および７４′が設置され、支持バー７１および７２′の各々に支持されたボトルが支持ユニット２２および２３′の各々から落下することを防止する。
【００３７】
図４にも、支持ユニット２２および２３′をウェブ５に配置する方法が示されている。ウェブ５は２つの削りスロット７５および７６を含む。対応する支持バー７１および７２′は各々、２つの削りスロット７５および７６に少なくとも部分的に配置されている。よって、支持ユニット２２および２３′はウェブ５にしっかりと固定され、構造的に封じ込められる。上記の支持ユニットの支持バーは、角度αをもって下方から対応のウェブ５に斜めに導入される。好ましくは、角度αは１８°である。したがって、ボトルラック１に置かれているボトルも１８°で斜めに位置することになる。本発明において、支持バー７１および７２′の表面は外側に面している。正確にはワインボトルをボトルラック１に貯蔵する場合、１８°の角度αが望まれる。こうすると、ワインボトルが斜めになることになり、ボトルコルクの３分の２はワインに覆われ、その結果、湿潤状態に維持される。
【００３８】
ウェブ５にしっかりと連結された支持バー７１、７２′から分かるように、支持バーはウェブ３〜６にしっかりと固定されたため、図４に示された構成において、ボトルラック１はウェブ３〜６において、各モジュールが縦方向に、すなわちウェブ３〜５に沿って移動することができるレールシステムを設けていない。
【００３９】
図５は、図１に示されたボトルラック１のＡ−Ａ断面図を示している。２つの後方ウェブ３および６は底部２をカバー要素７に連結させる。ウェブ３とウェブ６との間に、支持ユニット２０および２２に対向に位置する支持ユニット２０′および２２′が見られる。しかしながら、図５では、支持ユニット２０および２２を見ることができない。これらの支持ユニット２０′〜２２′は各々、支持バー８８および８９を有する。支持バー８８および８９は、２つのウェブ３と６との間に配置され、これらのウェブ３〜６に少なくとも部分的に連結されている。
【００４０】
支持ユニット２０′、２２′の支持バー８８、８９を、図４に示された方法でウェブ３〜６に連結することができる。したがって、ウェブ３〜６は、支持バー８８、８９を少なくとも部分的に配置する削りスロットを有することができる。しかしながら、これらの削りスロットは図５に示されていない。
【００４１】
ボトルラック１の各ウェブにレールシステムを設けることも可能である。その結果、各モジュールをこれらのレールシステムに沿って縦方向に移動することができ、よって、モジュール間の間隔を変更することができる。しかしながら、図５において２つのウェブ３、６のレールシステムは示されていない。明瞭さのために、モジュールには参照番号を付していない。
【００４２】
これらの支持バー８８、８９の各々には、支持ユニット２０′、２２′に配置されているボトルがボトルラック１から滑って落下することを防止する裏当て要素９０、９１が設置されている。上記支持ユニット２０′、２２′の支持バー８８、８９の真下には、対応する受け装置２４、２６が設置されている。これらの受け装置２４、２６は、互いに対向する支持ユニット２０、２０′、２２、２２′に連結されるため、裏当て要素を設けられた支持バーを含むことになる。また、受け部２５〜２７が支持バーの下面を介して支持ユニット２１、２１′、２３、２３′に連結されることも明白である。
【００４３】
ボトルラック１は底部要素２の内部において、回転部９３を有する。この回転部９３は、連結要素、たとえばウェブを介して底部要素２に連結される回転プレート９４を有する。図５では、連結要素９５および９６のみが示されている。図において、２つの玉軸受９７、９８も表示されている。回転プレート９４は、玉軸受９７と９８との間に配置される。回転部９３を用いて、ボトルラック１を回転軸Ｃを中心に回転させることが可能である。
【００４４】
理解すべきことは、ボトルラックを自軸の周りに回転させることができれば、回転部９３は他の構造を有してもよいことである。
【００４５】
図５から分かるように、支持ユニット２１、２１′、２３、２３′は、配置される平面に対して傾けられる。よって、支持ユニット２１、２１′、２３、２３′は一定の傾斜角を有する。そして、瓶底をこれらの支持ユニット２１、２１′、２３、２３′に置くことによりボトルを貯蔵すると、これらのボトルも支持ユニット２１、２１′、２３、２３′の傾斜角に相当する斜め状態を有する。しかしながら、理解すべきことは、異なる方法でボトルを斜めにすることができることである。
【００４６】
また、支持ユニット２１、２１′、２３、２３′を傾斜させずに、受け部を平面に、すなわち縦方向に沿って変位させることにより、斜め状態にすることもできる。この目的を達成するために、たとえば、支持ユニットの対応する支持バーの真下に、受け部を変位させることのできるレールシステムを設置すればよい。
【００４７】
このことを、２つの受け部３４および３４′を例にして説明する。受け部３４、３４′は、２つの対向する支持バーの真下において互いに平行に配置される。図５では、支持ユニット２２′の支持バー８９のみが示されている。本発明において、２つの対向する支持バーは、それらの下面において１つのレールシステムを有する。このレールシステムの上には、受け部３４および３４′が配置されている。受け部３４および３４′は、レールシステムに沿って移動することができる。２つの受け部３４および３４′は互いにさらに引離されると、ボトルの傾斜はさらに増大する。逆に、２つの受け部３４および３４′は互いにすぐ隣に配置されると、ボトルの傾斜はそれに応じて減少する。ボトルラック１の中で受け部を変位させることができれば、ボトルラック１に異なるサイズのボトルを貯蔵することができるというさらなる利点が現れる。
【００４８】
理解すべきことは、支持ユニットを傾斜させることができれば、また平行に配置された受け部の間の間隔を変更することができれば、ボトルを斜めにすることができることである。
【００４９】
また考えられるのは、各モジュール４２〜４５をウェブ３〜６に設置されたレールシステムに沿って縦方向に、すなわちウェブ３〜６に沿って移動してもよい。それにしたがって、各モジュール４２〜４５の他のモジュールに対する間隔を変更することができ、それによってボトルを斜めにすることができる。しかしながら、図５においてモジュールが部分的にしか示されていないため、モジュールに参照番号を付していない。
【００５０】
ボトルラック１は、任意所望の材料、たとえば木材、金属または合成材料から構成することができる。好ましくは、ボトルラック１は木材、たとえば針葉樹木から構成される。
【００５１】
図６は、図１に示されたボトルラックをＢ−Ｂ面に沿って示している。４つのウェブ３〜６は底部要素２に設置される。ウェブ４とウェブ５との間に、支持ユニット２２′に対向する支持ユニット２２が設置されている。ここでは、支持ユニット２２′はウェブ３とウェブ６との間に設置されている。２つの支持ユニット２２、２２′は受け装置２６を介して互いに連結される。受け装置２６は２つの受け部３４および３４′から構成される。受け装置２６の上方には、受け装置２７が設置され、ボトルの瓶底を支持するための２つの対向する支持ユニット２３および２３′を連結する。各々の場合において、対応する受け装置の受け部は、たとえばネジまたは接着剤といった連結手段によって対向する支持ユニットに連結される。
【００５２】
同様に、受け装置２７は互いに平行に配置された２つの受け部３５および３５′から構成される。受け部３５は支持面５７〜６０を含む。支持面５７〜６０は、受け部３５′の支持面６１〜６３，５３に対してオフセットされる。同様に、受け部３４の支持面と受け部３４′の支持面とは、互いにオフセットをもって配置される。しかしながら、２つの受け部３４、３４′の支持面に、参照番号を付していない。各ボトルの瓶首を各支持面に置くことができる。
【００５３】
図７は、図６に示されたボトルラック１に４本のボトル６４〜６７が置かれているボトルラックのさらなる図である。
【００５４】
ボトル６５は、その瓶底および瓶首が支持ユニット２２′および受け部３５′の支持面５３にそれぞれ支持されるように置かれている。ボトル６５の瓶底は支持バー７１′の上に置かれ、少なくとも部分的に裏当て要素７３′に支持される。裏当て要素７３′は、ボトル６５が支持バー７１′から滑らないようにし、よってボトルラック１から落下することを防止する。一方、ボトル６５と対向するボトル６４は、その瓶底が支持ユニット２２に支持されるように置かれている。同様に、裏当て要素７３はここで、ボトル６４がボトルラック１から落下することを防止する。ボトル６４は、その瓶首が受け部３５の支持面６０に支持されるように置かれている。受け部３５の支持面５７〜６０は、受け部３５′の支持面６１〜６３および５３に対してオフセットをもって設置されるため、２つのボトル６４および６５の瓶首に接触することはない。また、貯蔵ユニット４９に配置することのできるボトルの瓶首が結果的に異なる長さの瓶首を有しても、その中に配置されるときにボトルの瓶首が接触することはない。
【００５５】
上記は同様に、２つのボトル６６および６７についても適用できる。この場合、受け部３４および３４′の支持面も、互いにオフセットをもって配置されるため、互いに斜めに対向している。このように２つの受け部３４および３４′の支持面を互いに配置すると、２つのボトル６６、６７の瓶首が互いに接触することが防止される。
【００５６】
図８は、図６に示されたボトルラックをＣ−Ｃ面に沿って示す図の一部である。図に示された貯蔵ユニット４９は、２つの対向する支持ユニット２２および２２′ならびに２つの支持ユニット２２および２２′の上方に配置されている受け装置２７から構成される。その結果、支持ユニット２２および２２′は第１平面Ｅ１に位置し、すぐ上方の受け装置２７は第２平面Ｅ２に位置する。支持ユニット２２および２２′は、各々支持バー７１および７１′から構成される。支持バー７１および７１′の各々に、１つの裏当て要素７３および７３′が設置されている。支持バー７１と支持バー７１′とは、受け装置２６の受け部３４′を介して互いに連結される。よって、図８にその一部が示されたモジュール４４は、受け部２６と、２つの対向する支持ユニット２２および２２′とから構成される。ここでは、受け部３４′は支持バー７１、７１′の真下に設置される。平面Ｅ１、つまり貯蔵ユニット４９の第１平面に対して、支持バー７１、７１′は角度αで傾斜する。第２平面Ｅ２には、受け装置２７の２つの対向する受け部３５、３５′は見られる。また、支持面６２の一部も見られる。ボトルがその瓶底を支持ユニット２２′で支持されるとき、瓶首が支持面６２に支持される。
【００５７】
図９は、図７に示されたボトルラック１をＤ−Ｄ面に沿って示す図の一部である。図には、２つのボトル６４および６５のみが示されている。これらのボトル６４および６５は貯蔵ユニット４９に配置されている。ボトル６５の瓶首は受け部３５′の支持面５３に支持される。しかしながら、図９には支持面５３は示されていない。ここでは、ボトル６５の瓶底は支持ユニット２２′の支持バー７１′に支持される。支持ユニット２２′が平面Ｅ１に対して角度αをもって傾斜するため、ボトル６５も角度αで傾斜する。このようにボトルを斜めにすることにより、瓶用栓は少なくとも部分的に濡らされる。このことは、ワインボトルの場合に特に重要である。なぜなら、ワインボトルの場合、コルクを常に濡らすことが重要であるからである。支持バー７１′に設置された裏当て要素７３′は、ボトル６５がボトルラック１から滑ることを防止する。
【００５８】
ボトル６４は、その瓶首が受け部３６の支持面６０に支持されるように置かれている。この図において、支持面６０が支持面６２の後ろに配置されるため、支持面６０は見られない。したがって、この図において、ボトル６５はボトル６４の後ろに配置される。
【００５９】
ボトル６４は、その瓶底が支持ユニット２２に支持されるように置かれている。支持ユニット２２も平面Ｅ１、つまり受け装置２６に対して角度αで傾斜する。支持ユニット２２の支持バー７１に設置された裏当て要素７３は、ボトル６４がボトルラック１から落下することを防止する。
【００６０】
好ましくは、角度αは１８°である。なぜならば、ボトルはこの角度で、瓶用栓の約３分の２を濡らすことのできる斜め状態を有するからである。ボトルにワインが入っている場合、ボトルを斜めに保つことは特に重要である。そうすれば、コルクの約３分の２は常にワインに接触している。
【００６１】
このボトルラック１の利点としては、瓶底がワインラックの前に立っている人間に面する方向に置かれていることである。ボトル６４、６５を斜めにすることの結果として、ボトル６４、６５のラベルを容易に見るおよび読むことができるように配置することができる。
【００６２】
しかしながら、支持ユニットを傾斜させずに、受け部を平面に沿って、すなわち水平方向に沿って変位させることにより、角度αを作ることもできる。この目的のために、支持ユニットの対応する支持バーの真下に、受け部を変位させることのできるレールシステムを設ければよい。たとえば図９における２つの受け部３５および３５′がさらに互いに引離されると、角度αは増加する。逆に、２つの受け部３５および３５′が互いにすぐ隣に配置されると、角度αは減少する。ボトルラック１の中の受け部を変位させることができれば、ボトルラック１の中で異なるサイズのボトルを貯蔵することができるというさらなる利点が現れる。また、この目的のために、モジュールをボトルラック１のウェブの上で移動できるように設置することが有用である。たとえば、図９に示されたモジュール４４を下方に向かって、つまり受け部２７から離れるように移動すれば、角度αは増加する。
【００６３】
したがって、角度α、およびそれに応じたボトルの斜め位置は、以下のように設定することができる：
１．互いに平行に配置された支持ユニットの傾斜角度によって、および／または
２．互いに平行に配置された受け部の間の間隔を変更することによって、および／または
３．モジュール間の間隔を変更することによって。
【００６４】
図１において、ボトルラック１は１０個の貯蔵ユニット４６〜５０を含むが、１個のみの貯蔵ユニットまたは１０個より多くの貯蔵ユニットを有するボトルラックを作ることも考えられる。ボトルラック１において、受け装置３７が配置されたカバー要素７を底部要素２の真上に配置すれば、１個のみの貯蔵ユニットを有するボトルラックが得られる。この変形例において、モジュール４２〜４５は結果的に省略される。
【００６５】
よって、最も簡単な構造を有する一番小さいボトルラックは、以下のように構成することができる。
【００６６】
１．ボトルラック１は、底部要素２と底部要素の上方に配置されたカバー要素７とを含み、受け装置３７は、底部要素２とカバー要素７との間に配置されるように、カバー要素７に配置される。ここで、底部要素２は、ウェブ３〜６を介してカバー要素７に連結される。
【００６７】
２．ボトルラック１は、ウェブ３〜６を含み、ウェブ３〜６は、上下に配置されたモジュール４２〜４５のうちの２つに介して互いに連結され、そして結果的に安定させられる。ここで、モジュールは互いに、共通の回転軸Ｃに対して縦に９０°のオフセットをもって配置される。
【００６８】
ボトルラックを拡張しようとする場合、カバー要素７と底部要素２との間に追加モジュール４２〜４５を配置するだけでよい。このようなモジュール４２〜４５の各々は、瓶底を支持するための２つの対向の支持ユニットと、その２つの支持ユニットを互いに連結する受け装置とを含む。各追加モジュール４２〜４５を追加するたび、さらなる貯蔵ユニットが得られる。
【００６９】
さらに、このボトルラックの利点は、４つの側面からボトルを入れることができるいうことである。また、このボトルラックの利点は、ボトルを貯蔵ユニットに斜めに配置することができるということである。斜めにすることにより、ボトルの瓶用栓の約３分の２を湿らせることができる。ボトルにワインが入っている場合、ボトルのコルクを乾燥しないようにすることは必須であるため、斜めにすることは特に重要である。さらに有利なのは、ボトルを斜めにすると、ボトルのラベルを容易に見ることおよび読むことができることである。さらに有利なのは、瓶首の長さに関わらず、ボトルラックにボトルを配置することができることである。
【００７０】
さらに有利なのは、ボトルラックにボトルを便利にしかもはっきり見えるように配置することができることである。ボトルラックは回転プレートを備えるため、ボトルをボトルラックに簡単に入れることができ、そこから簡単に取り出すこともできる。
【００７１】
以上により、本発明の実施形態の例を詳細に説明したが、本発明はこれらの実施形態の例に限定されない。当業者なら分かるように、本発明は、上記の実施形態の例と同じ結果を得られるいくつかの異なる変更例を含む。よって、請求項の保護範囲は上記の実施形態に制限されるものではなく、さらなる変更、修正および代替が当業者にとっては明白であり、請求項の保護範囲に含まれる。
【符号の説明】
【００７２】
１  ボトルラック、２  底部要素、３〜６  ウェブ、７  カバー要素、８  壁、９  底面、１０〜１３  壁８の一面、１４  空白部、１５  カバー、１６〜１９  底面９のコーナー、２０，２０′  支持ユニット、２１，２１′  支持ユニット、２２，２２′  支持ユニット、２３，２３′  支持ユニット、２４〜２７  受け装置、２８〜３１  ウェブ、３２，３２′  受け部、３３，３３′  受け部、３４，３４′  受け部、３５，３５′  受け部、３６，３６′  受け部、３７  受け装置、３８  支持ユニット、３９  支持ユニット、４０  受け装置、４１  面、４２〜４５  モジュール、４６〜５０  貯蔵ユニット、５１  １４の側面、５２  １４の側面、５３  支持面、５４〜５６  ボトル、５７〜６３  支持面、６４〜６７  ボトル、７０，７０′  受け部、７１，７１′  支持バー、７２，７２′  支持バー、７３，７３′  裏当て要素、７４，７４′  裏当て要素、７５  削りスロット、７６  削りスロット、８０〜８７  支持面、８８，８９  支持バー、９０，９１  裏当て要素、９３  回転部、９４  回転プレート、９５，９６  連結要素、９７，９８  玉軸受。
【図１】
2013535252.tif 000003
【図２】
2013535252.tif 000004
【図３】
2013535252.tif 000005
【図４】
2013535252.tif 000006
【図５】
2013535252.tif 000007
【図６】
2013535252.tif 000008
【図７】
2013535252.tif 000009
【図８】
2013535252.tif 000010
【図９】
2013535252.tif 000011
【国際調査報告】
2013535252.tif 000012
2013535252.tif 000013
2013535252.tif 000014
2013535252.tif 000015
2013535252.tif 000016
2013535252.tif 000017